(57)【特許請求の範囲】
【請求項１】
表示部と、前記表示部を駆動、保持する保持部とを含む表示体と、
長袖シャツの袖口を挟み込むため、前記表示体の裏面に取り付けられたクリップと、
前記長袖シャツの袖のボタン穴に通した上で、前記長袖シャツの袖に巻き付けられ、前記表示体に対して両端が取り外し可能に接続された可曲性長尺部材と、
を備えた携帯端末。
【発明の詳細な説明】
【技術分野】
【０００１】
本発明は、携帯端末に関する。
【背景技術】
【０００２】
上記技術分野において、特許文献１には、携帯端末を締め付け感なく腕に取り付けるために、携帯端末を長袖シャツの袖口にクリップ止めする技術が開示されている。
【先行技術文献】
【特許文献】
【０００３】
【特許文献１】実公昭６３−１３７８８６号公報
【特許文献２】特開２００３−２１０２１４号公報
【特許文献３】特開２００５−４３１６３号公報
【特許文献４】米国特許出願公開２００７／００３６０３７号明細書
【発明の概要】
【発明が解決しようとする課題】
【０００４】
しかしながら、上記文献１に記載の技術では、携帯端末を締め付け感なく腕に取り付けることは可能であったが、クリップ止めのみで長袖シャツの袖口に取り付けただけなので、脱落を十分に防止することができなかった。
【０００５】
すなわち特許文献１には、腕時計の脱落防止手段として、鎖とその先端に設けた留め具が開示されているが、ここに開示された留め具では、脱落防止効果が十分ではなかった。
【０００６】
特許文献２および３には、腕時計をクリップまたは係止手段で袖口に保持する構成が開示されている。この構成の場合、袖口に装着したクリップまたは係止手段では、クリップに接続した腕時計が袖口から脱落するおそれがあった。
【０００７】
特許文献４には、クリップで小型の時計を袖口に保持する構成が開示されている。この場合、クリップのみで時計を保持するため時計が袖口から脱落するおそれがあった。
【０００８】
本発明の目的は、上述の課題を解決する技術を提供することにある。
【課題を解決するための手段】
【０００９】
上記目的を達成するため、本発明に係る携帯端末は、
表示部と、前記表示部を駆動、保持する保持部とを含む表示体と、
長袖シャツの袖口を挟み込むため、前記表示体の裏面に取り付けられたクリップと、
前記長袖シャツの袖のボタン穴に通した上で、前記長袖シャツの袖に巻き付けられ、前記表示体に対して両端が取り外し可能に接続された可曲性長尺部材と、
を備えた。
【発明の効果】
【００１０】
本発明によれば、腕に装着した際に、締め付け感のない携帯端末を提供することができる。
【図面の簡単な説明】
【００１１】
【図１】本発明の第１実施形態に係る携帯端末の構成を示す図である。
【図２】本発明の第１実施形態に係る携帯端末の使用態様を示す図である。
【図３】本発明の第２実施形態に係る携帯端末の前提技術を説明する図である。
【図４】本発明の第２実施形態に係る携帯端末の前提技術を説明する図である。
【図５】本発明の第２実施形態に係る携帯端末の前提技術を説明する図である。
【図６】本発明の第２実施形態に係る携帯端末の前提技術を説明する図である。
【図７】本発明の第２実施形態に係る携帯端末の構成を示す上面図である。
【図８】本発明の第２実施形態に係る携帯端末の構成を示す側面図である。
【図９】本発明の第２実施形態に係る携帯端末の接続部の接続孔への接続を説明する図である。
【図１０】本発明の第２実施形態に係る携帯端末で適用されるクリップの構造を説明する側面図である。
【図１１】本発明の第２実施形態に係る携帯端末で適用されるクリップの他の構造を説明する側面図である。
【図１２】本発明の第３実施形態に係る携帯端末の構成を示す図である。
【図１３】本発明の第３実施形態に係る携帯端末の使用態様を示す図である。
【図１４】本発明の第４実施形態に係る携帯端末の使用態様を示す図である。
【図１５】本発明の第５実施形態に係る携帯端末の構成を示す側面図である。
【図１６】本発明の第５実施形態に係る携帯端末の構成を示す側面図である。
【図１７】本発明の第５実施形態に係る携帯端末の使用態様を説明する図である。
【図１８】本発明の第６実施形態に係る携帯端末の前提技術のクリップを説明するための底面図である。
【図１９】本発明の第６実施形態に係る携帯端末のクリップを説明するための図である。
【図２０】本発明の第７実施形態に係る携帯端末を説明するための側面図である。
【図２１】本発明の第７実施形態に係る携帯端末を説明するための底面図である。
【発明を実施するための形態】
【００１２】
以下に、図面を参照して、本発明の実施の形態について例示的に詳しく説明する。ただし、以下の実施の形態に記載されている構成要素はあくまで例示であり、本発明の技術範囲をそれらのみに限定する趣旨のものではない。
【００１３】
以下の実施形態において、携帯端末における表示体とは表示部（表示パネル）と表示部を駆動、保持する保持部とを含むものとする。すなわち、携帯端末である腕時計の場合は表示体は腕時計本体であり、スマートフォンの場合は機器本体と呼ばれるものである。表示体には表示部（表示パネル）が装着される。時計の場合、アナログ型では機械的文字盤が、デジタル型では表示ディスプレイが表示部に相当する。またスマートフォンであればタッチボタン、マイク、カメラなどを含む表示ディスプレイが表示部に相当する。また携帯端末として、腕時計（アナログおよびデジタル型がある）とスマートフォンを想定して説明するが、そのほかの携帯端末にも適用可能である。
【００１４】
［第１実施形態］
以下に第１実施形態としての携帯端末１００の構成について図１を用いて説明する。携帯端末１００は、表示体１０１と、長袖シャツの袖口を挟み込むためのクリップ１０２と、表示体１０１に対して両端が取り外し可能に接続された可曲性長尺部材１０３とを含む。クリップ１０２は表示対１０１の裏面（袖口生地側）に接着保持されている。
【００１５】
図２は、本実施形態に係る携帯端末１００の使用態様を示す図である。携帯端末１００は、クリップ１０２を長袖シャツの袖口に挟み込み、長袖シャツの袖口のボタン穴に可曲性長尺部材１０３を通し、その両端を表示体１０１に接続して使用するものである。また、クリップ１０２は、袖口に挟み込んで使用してもよいし、クリップ１０２を挟み込まずに可曲性長尺部材１０３のみをボタン穴に通して使用してもよい。
【００１６】
本実施形態によれば、腕に装着した際に、締め付け感のない携帯端末１００を提供することができる。
【００１７】
［第２実施形態］
（前提技術）
はじめに、本実施形態に係る携帯端末の前提技術としての携帯端末を図３乃至図６を用いて概要を説明する。図３は、クリップを長袖シャツの袖口に挟み込むことにより表示体３０１を取り付けるタイプの例を示している。表示体３０１の裏側に設けられたクリップにより長袖シャツの袖口を挟み込んで表示体３０１を保持するものである。しかしながら、この場合、例えば、ユーザが腕を下に向けている場合には、表示体３０１の自重により自然と袖口から表示体３０１が脱落するおそれがあった。さらに、例えば、ユーザが腕を振りながら歩いている場合には、表示体３０１の自重と遠心力とにより表示体３０１が袖口から脱落し易いという欠点があった。
【００１８】
図４乃至図６は、携帯端末をベルトにより腕に取り付けるタイプの例を示している。図４、図５及び図６はそれぞれ、表示体４０１、５０１、６０１として、アナログ時計、デジタル時計、スマートフォンの例を示している。表示体４０１、５０１、６０１には、バンド４０３、５０３、６０３が取り付けられており、これによりユーザは表示体を４０１、５０１、６０１を腕に巻き付けることができる。バンド４０３、５０３、６０３の他にベルトと金具とで装着するタイプや紐で装着するタイプもある。
【００１９】
図４乃至図６に示したバンドやベルトと金具とで携帯端末を保持するタイプはクリップにより挟み込むタイプと異なり脱落するおそれが少ない。そのためこのタイプの取り付け方法は広く携帯端末で採用されてきた。しかしながら、携帯端末の脱落を防止するためには、バンド４０３、５０３、６０３をある程度の力で締め付けなければならなかった。この締め付け感が苦手で携帯端末を手首に装着しないユーザもいた。
【００２０】
作業現場の作業員は、危険な場所で作業する場合があるが、時間あるいは情報を確かめるためにポケットからスマートフォンを取り出して見ることがある。また袖口を引き上げ腕時計を見ることがある。またパーティや会議などで時間を確認するために袖口を引き上げて時計を見たり、ポケットからスマートフォンを取り出して時間や情報を確認することがある。
【００２１】
ところで、作業中に一方の手で袖口を引き上げて腕時計を見ることは危険を伴う場合が多い。スマートフォンの場合も同様である。危険を伴う建設現場や工作機械の運転中などは、仕事に集中するためにできるだけ両手が自由なまま携帯端末の情報を確認することを望む。
【００２２】
一方、パーティや会議中に人前で袖口を引き上げて時間を見ることやポケットからスマートフォンを取り出し時間や情報を確認することは人に不快感を与えることがある。そのため、時間や情報を確認するためにわざわざパーティ会場や会議場から席をはずすケースも見られる。また携帯端末に何か連絡が入った場合、人目につかず容易に連絡通知の視認ができると便利であるが、長袖シャツの中の携帯端末ではすぐに連絡通知の視認ができないという欠点がある。
【００２３】
特に女性の場合、小型の表示部を持つ軽量の携帯端末を好むことが多い。しかし小型の携帯端末の場合、ファッション性が求められる袖口を引きあげて表示部をみるのは面倒であり、また小型の表示部は見えにくい。また袖口をめくり情報の確認作業を行うしぐさはあまり好ましくない。
【００２４】
携帯端末には大切な個人情報やその他のデータが保存してあるため、携帯端末をなくすことは現代社会では危険である。また作業中に袖口のクリップや留め具がはずれ携帯端末が落下して壊れたり、着替えのおりなど携帯端末を紛失してしまうことがある。大切なデータが他人の手に渡ることや壊れて二度と貴重なデータが手に入らないことは好ましくない。これらの理由により携帯端末を気軽にまた容易に袖口につけることはさまたげられていた。
【００２５】
以上のことから、袖口に装着する携帯端末は、脱落防止が確実であるとともに目に付きやすいということからファッション性も高いことが好ましい。上述の前提技術においては、表示部の裏面に設けたクリップ（挟み込み手段）により長袖シャツの袖口を挟み込む構成となっている。しかしながら、クリップの挟み込み力には限界があるため、作業現場などで激しい動きが伴う場合、携帯端末が袖口から脱落するおそれがあった。また、表示部にバンドなどの巻き付け手段を設けたものも開示されているが、確実に携帯端末を保持するためには、ある程度の力でバンドなどを手首に締め付けなければならなかった。そのため、締め付け感がなく、手首から脱落しない携帯端末が求められていた。
【００２６】
なお、以下では主に四角形の表示体で説明するが、表示体は四角形に限るものではなく、例えば丸型やフレキシブルな表示体でもよい。フレキシブルな表示体は薄く軽量であり、カラフルなフレキシブル携帯端末は袖口のファッション性を高める。
【００２７】
そこで本実施形態では、上記解決課題を達成するために、以下のような構成となっている。
【００２８】
（本実施形態の技術）
図７乃至図１１を用いて本実施形態に係る携帯端末７００について説明する。図７および図８は、本実施形態に係る携帯端末７００の上面図および側面図である。携帯端末７００は、表示体７０１と長袖シャツの袖口を挟み込むためのクリップ７０２と可曲性長尺部材１０３とを備える。
【００２９】
クリップ７０２は、表示体７０１の裏面に設けられている。クリップ７０２が、長袖シャツの袖口を挟み込むことにより、携帯端末７００を袖口に取り付けることができる。
【００３０】
可曲性長尺部材１０３は、数珠玉から構成されている。具体的には、穴が貫通した複数の数珠玉に糸などを通して輪状（リング状）にしたものである。そして、可曲性長尺部材７０３の両端に設けられた接続部７０６、７０７の外表面にはねじ山が設けられており、これが内表面にねじ山が設けられた接続孔７０４、７０５を介して表示体７０１と着脱自在に接続される。
【００３１】
本実施形態に係る携帯端末７００を腕に装着する場合には、可曲性長尺部材７０３の両端に設けられた接続部７０６、７０７を長袖シャツの袖口にあるボタン穴に通して接続孔７０４、７０５に接続する。そして、クリップ７０２で長袖シャツの袖口を挟み込む。可曲性長尺部材１０３は、締め付け感を感じない程度の長さに調整可能となっている。
【００３２】
図９は、本実施形態に係る携帯端末７００の可曲性長尺部材７０３の表示体７０１への接続を説明するための図である。接続部７０６は、表示体７０１の接続孔７０４へ接続される前の状態である。接続部７０７を表示体７０１の接続孔７０５へねじ込むことにより、可曲性長尺部材７０３を表示体７０１へ接続することができる。接続部７０７は、接続孔７０５へ接続された後の状態である。
【００３３】
図１０は、クリップ７０２の構成を説明するための側面図である。クリップ７０２は、長袖シャツの袖口に表示体を安定に保持し、可曲性長尺部材７０３による拘束力が、締め付け感を感じない程度の拘束力であっても、携帯端末が脱落しないようにするためのものである。クリップ７０２は、クリップ板１０２１とバネ１０２２とを備える。クリップ板１０２１は、バネ１０２２を介して表示体７０１の裏面に設けられている。クリップ７０２は、バネ１０２２の復元力により、長袖シャツの袖口をクリップ板１０２１と表示体７０１の裏面とで確実に挟み込むことができる構造となっている。
【００３４】
図１１は、クリップの他の構成を説明するための側面図である。クリップ１１０２は、上記クリップ７０２と比較してバネ１０２２を有しない点で異なる。クリップ１１０２は、下部クリップ板１１２１と上部クリップ板１１２２とを備える。さらに、下部クリップ板１１２１の先端側には突起１１２３が設けられている。下部クリップ板１１２１と上部クリップ板１１２２とは、弾性素材や可撓性素材などで構成されているので、これら自身が復元力を発揮して長袖シャツの袖口を確実に挟み込むことができる。また、下部クリップ板１１２１の先端側には突起１１２３が設けられているので、この突起１１２３と上部クリップ板１１２２とで確実に長袖シャツの袖口を挟み込むことができる。また、上部クリップ板１１２２や突起１１２３の表面を粗く加工したり、表面に滑り止め防止加工を施すことにより、突起１１２３と上部クリップ板１１２２とで長袖シャツの袖口を確実に挟み込むことができる。なお、クリップの構造はここで説明した構造には限定されず、様々な構造のものを適宜適用することができる。
【００３５】
なお、接続部の構造は多種多様なものがある。例えば、表示体と可曲性長尺部材に設けたワンタッチで接続可能な突合せ部材をつき合わせる構成とすることもできる。このような接続構造を適宜採用し、可曲性長尺部材を袖口近傍のボタン穴に通し、その後その両端を表示体の接続部に容易に接続することができる。
【００３６】
クリップの効用は、袖口に表示体を一旦係止し、その後その表示体の接続部と可曲性長尺部材の接続部とを安定して接続できることである。クリップで表示体を先に係止しないで、まず表示部と可曲性長尺部材とを接続するのは容易ではない。すなわちクリップは表示体を安定して保持し視認を確実にする機能とあわせ、可曲性長尺部材を容易に表示体に接続する機能を有している。
【００３７】
本実施形態によれば、携帯端末７００をクリップ７０２と可曲性長尺部材７０３とを用いて腕に装着することができるので、ユーザは、携帯端末を腕に装着する場合に締め付け感を感じずに確実に腕に装着することができる。
【００３８】
また、本実施形態によれば、携帯端末を長袖シャツの袖口に容易に確実に保持することができるので、大切な個人情報やデータが入っている携帯端末でも気軽に袖口に装着できる。また作業中に両手が自由なまま携帯端末の時間あるいは情報を視認でき、パーティあるいは会議中にまわりの人を不愉快にさせずに携帯端末の表示部を視認することができる。
【００３９】
［第３実施形態］
次に、本発明の第３実施形態に係る携帯端末１２００について、図１２および図１３を用いて説明する。本実施形態に係る携帯端末１２００は、上記第２実施形態と比べると、可曲性長尺部材１２０３が鎖である点で異なる。その他の構成および動作は、第２実施形態と同様であるため、同じ構成および動作については同じ符号を付してその詳しい説明を省略する。
【００４０】
図１２は、本実施形態に係る携帯端末１２００の構成を説明する上面図である。可曲性長尺部材１２０３は、鎖で構成されている。具体的には、金や銀、アルミなどの金属製のリングを数珠つなぎにして鎖としたものである。そして、可曲性長尺部材１２０３の両端には、接続部としてスプリングバネを備えるフック１２０６、１２０７が設けられている。また、表示体７０１側には、フック１２０６、１２０７を掛けるフック掛け１２０４、１２０５が設けられている。フック１２０６、１２０７のスプリングバネを開いてフック掛け１２０４、１２０５へと引っ掛けてから、スプリングバネを閉じると可曲性長尺部材１２０３を表示体７０１に接続することができる。フック１２０６は表示体７０１へ接続される前の状態であり、フック１２０７は表示体７０１へ接続された後の状態である。
【００４１】
図１３は、本実施形態に係る携帯端末１２００を腕に装着した状態を説明する図である。なお、図１３では表示体７０１がスマートフォンである場合とした。本実施形態に係る携帯端末１２００を腕に装着する場合には、可曲性長尺部材１２０３の両端に設けられたフック１２０６、１２０７を長袖シャツの袖口にあるボタン穴に通してフック掛け１２０４、１２０５に接続する。そしてクリップ７０２で長袖シャツの袖口を挟み込むと、携帯端末１２００を腕に確実に装着することができる。
【００４２】
本実施形態によれば、携帯端末１２００をクリップ７０２と可曲性長尺部材１２０３とを用いて腕に装着することができるので、ユーザは、携帯端末を腕に装着する場合に締め付け感を感じずに確実に腕に装着することができる。
【００４３】
また、本実施形態によれば、携帯端末を長袖シャツの袖口に容易に確実に保持することができるので、大切な個人情報やデータが入っている携帯端末でも気軽に袖口に装着できる。また作業中に両手が自由なまま携帯端末の時間あるいは情報を視認でき、パーティあるいは会議中にまわりの人を不愉快にさせずに携帯端末の表示部を視認することができる。
【００４４】
［第４実施形態］
次に、本発明の第４実施形態に係る携帯端末１４００について、図１４を用いて説明する。本実施形態に係る携帯端末１４００は、上記第２実施形態と比べると、可曲性長尺部材１４０３が紐である点で異なる。その他の構成および動作は、第２実施形態と同様であるため、同じ構成および動作については同じ符号を付してその詳しい説明を省略する。
【００４５】
図１４は、本実施形態に係る携帯端末１４００を腕に装着した状態を説明するための図である。本実施形態に係る携帯端末１４００の可曲性長尺部材１４０３は、紐で構成されている。本実施形態に係る携帯端末１４００を腕に装着する場合には、可曲性長尺部材１４０３の両端に設けられた接続部７０６、７０７を長袖シャツの袖口にあるボタン穴に通して接続孔７０４、７０５に接続する。そして、クリップ７０２で長袖シャツの袖口を挟み込む。可曲性長尺部材１０３は、締め付け感を感じない程度の長さに調整可能となっている。
【００４６】
本実施形態によれば、携帯端末１２００をクリップ７０２と可曲性長尺部材１２０３とを用いて腕に装着することができるので、ユーザは、携帯端末を腕に装着する場合に締め付け感を感じずに確実に腕に装着することができる。
【００４７】
また、本実施形態によれば、携帯端末を長袖シャツの袖口に容易に確実に保持することができるので、大切な個人情報やデータが入っている携帯端末でも気軽に袖口に装着できる。また作業中に両手が自由なまま携帯端末の時間あるいは情報を視認でき、パーティあるいは会議中にまわりの人を不愉快にさせずに携帯端末の表示部を視認することができる。
【００４８】
上述の実施形態では可曲性長尺部材の構成について、数珠玉、鎖および紐を用いて説明をしたが、可曲性長尺部材の構成はこれらに限定されない。例えば、帯などでもよい。
【００４９】
さらに、上述の実施形態では、可曲性長尺部材は長袖シャツの袖口にあるボタン穴に容易に通せる形状のものであることが望ましい。また確実に表示体を保持することができるように、紐や数珠玉は一定以上の引っ張り強度が望ましい。引っ張り強度はあらかじめ設定しておくことが可能である。また当然ながら袖口に装着するための十分な可曲性があることが望ましく、適宜材料を選択すればよい。
【００５０】
数珠玉や紐、鎖、帯はデザイン性を考慮して色や形状を自由に選択できる。ただしファッション性を過度に求めて可曲性長尺部材の引っ張り強度が低くなってしまうことは回避すべきである。本発明の趣旨は大切な個人情報やデータが入った携帯端末を確実に袖口に保持することであるからである。
【００５１】
上述のように、表示体が薄いフレキシブルタイプであっても上述の実施形態は適用可能である。ただし、フレキシブル表示体は非常に薄いので接続部の構造には制限がある。すなわち、ねじ切りが困難なので、この場合は適宜最適な接続部を採用することが望ましい。またフレキシブルであるので、表示体を袖口に巻きつけることも可能であり、袖口のファッション性を高める携帯端末として期待できる。
【００５２】
［第５実施形態］
次に、本発明の第５実施形態に係る携帯端末１５００について、図１５乃至図１７を用いて説明する。本実施形態に係る携帯端末１５００は、上記第２実施形態と比べると、携帯端末１５００を据え置きするためのストッパー１５４０を備える点で異なる。
【００５３】
可曲性長尺部材７０３を取り外した状態の表示体１５０１の裏面にはクリップ１５０２が設けられている。クリップ１５０２の先端側には、紙面に対して垂直軸方向に回転可能なようにヒンジなどでストッパー１５４０が設けられている。本実施形態に係る携帯端末１５００を長袖シャツの袖口に装着する時は、図１５に示したようにストッパー１５４０は閉じた状態で装着する。すなわち、ストッパー１５４０の面がクリップ１５０２の面と略平行になるように回転配置される。この態様で長袖シャツの袖口に表示体１５０１は保持される。
【００５４】
一方、例えばデスクの上の据え置き携帯端末としたい場合は、図１６に示したように、ストッパー１５４０を開いて状態で使用する。すなわち、ストッパー１５４０の面がクリップ１５０２の面に対して略垂直になるように回転配置される。
【００５５】
以上のように本実施形態では、クリップ１５０２はストッパー１５４０により常に一定角度で開かれた状態で使用される。ストッパー１５４０により一定角度で開かれたクリップ１５０２はストッパー１５４０とともに表示体１５０１を縦位置に据え置きするスタンドの構成をとる。図１７は、本実施形態に係る携帯端末をデスクに据え置きした状態を示す図である。
【００５６】
本実施形態によれば、好みに応じて据え置き型の携帯端末としてデスクなどに設置できる。また例えば外出するときに簡単に袖口に携帯端末を装着することができる。
【００５７】
［第６実施形態］
次に、本発明の第６実施形態に係る携帯端末１９００について、図１８および図１９を用いて説明する。本実施形態に係る携帯端末１９００は、上記第２実施形態と比べると、表示体の裏面に設置されるクリップに電池交換用の穴が設けてある点で異なる。
【００５８】
図１８は、本実施形態に係る携帯端末１９００の前提技術のクリップの形状について説明する図である。同図は、表示体の底面図である。携帯端末の電池交換をする場合には、表示体１８０１の裏面に設けられたクリップ１８０２を一旦取り外してから電池交換をする。
【００５９】
図１９は、本実施形態に係る携帯端末１９００のクリップ１９０２を説明する図である。表示体１８０１の裏面に接続されたクリップ１９０２の中央部に矩形状の孔１９５０が設けてある。孔１９５０は表示体１８０１の内部に装着した電池を交換するために設けたものである。電池交換の場合、孔１９５０から電池を交換することができる。
【００６０】
本実施形態によれば、電池交換のためにわざわざクリップ１９０２を表示体１８０１から取りはずさなくても、電池交換が容易になる。なお、本実施形態では孔１９５０は矩形状としたが、これに限定されない。電池形状にあわせて、例えば、円形や楕円形にしてもよい。
【００６１】
［第７実施形態］
次に、本発明の第６実施形態に係る携帯端末２０００について、図２０および図２１を用いて説明する。本実施形態に係る携帯端末２０００は、上記第２実施形態と比べると、クリップ自体が表示体の裏蓋を兼ねている点で異なる。
【００６２】
図２０は、本実施形態に係る携帯端末２０００の側面図である。携帯端末２０００は、表示体７０１と下部クリップ板９２１と上部クリップ板２０１２とバネ９２２とを備える。そして、上部クリップ板２０１２が、表示体７０１の裏蓋となっている。
【００６３】
図２１は、本実施形態に係る携帯端末２０００の底面図である。裏蓋となる上部クリップ板２０１２がネジ２１６０によりねじ止めされている。
【００６４】
本実施形態によれば、ネジ２１６０を取り外し、上部クリップ板２０１２を取りはずすだけで容易に電池交換できる。またクリップ部材を裏蓋として兼用できるので表示体の材料費を低減することができ、さらに、表示体の厚みを薄くすることもできる。
【００６５】
以上、実施形態を参照して本願発明を説明したが、本願発明は上記実施形態に限定されるものではない。本願発明の構成や詳細には、本願発明のスコープ内で当業者が理解し得る様々な変更をすることができる。また、それぞれの実施形態に含まれる別々の特徴を如何様に組み合わせた装置も、本発明の範疇に含まれる。
【要約】      （修正有）【課題】腕に装着した際に、脱落防止効果がよく、締め付け感のない携帯端末を提供する。【解決手段】表示体１０１と、長袖シャツの袖口を挟み込むためのクリップ１０２と、表示体１０１に対して両端が取り外し可能に接続された可曲性長尺部材１０３とを備えた携帯端末１００であって、クリップ１０２は表示対１０１の裏面（袖口生地側）に接着保持されている。【選択図】図１【図１】
0005711845.tif 000002
【図２】
0005711845.tif 000003
【図３】
0005711845.tif 000004
【図４】
0005711845.tif 000005
【図５】
0005711845.tif 000006
【図６】
0005711845.tif 000007
【図７】
0005711845.tif 000008
【図８】
0005711845.tif 000009
【図９】
0005711845.tif 000010
【図１０】
0005711845.tif 000011
【図１１】
0005711845.tif 000012
【図１２】
0005711845.tif 000013
【図１３】
0005711845.tif 000014
【図１４】
0005711845.tif 000015
【図１５】
0005711845.tif 000016
【図１６】
0005711845.tif 000017
【図１７】
0005711845.tif 000018
【図１８】
0005711845.tif 000019
【図１９】
0005711845.tif 000020
【図２０】
0005711845.tif 000021
【図２１】
0005711845.tif 000022